(57)【要約】      （修正有）【課題】本発明は、快適な手元作業を行うことができ、必要に応じて顔周辺及びミラーパネルの表面に風を吹き出すことができるミラー装置及びそれを用いた化粧台を提供する。【解決手段】本発明のミラー装置は、前面が鏡面であるミラーパネル１０と、ミラーパネル１０を裏側で支持する支持体１１と、支持体１１の下端に設けられた送風装置２０とを備え、カウンターの上方に設けられるミラー装置であって、送風装置２０は、送風機２２と、ミラーパネル１０よりも後方に位置し、送風機２２から送られた風をミラーパネル１０に対して前方から下方にあたる第１方向４１へ吹き出す送風口２３と、を有し、送風装置２０の外側に、送風口２３から吹き出された風の向きを第１方向４１より上方にあたる第２方向４２へと切り替える風向切替板３０が移動可能に設けられている。【選択図】図２
2018050911.tif 000002
【特許請求の範囲】
【請求項１】
前面が鏡面であるミラーパネルと、前記ミラーパネルを裏側で支持する支持体と、前記支持体の下端に設けられた送風装置とを備え、カウンターの上方に設けられるミラー装置であって、
前記送風装置は、
送風機と、
前記ミラーパネルよりも後方に位置し、前記送風機から送られた風を前記ミラーパネルに対して前方から下方にあたる第１方向へ吹き出す送風口と、
を有し、
前記送風装置の外側に、前記送風口から吹き出された風の向きを前記第１方向より上方にあたる第２方向へと切り替える風向切替板が移動可能に設けられた
ミラー装置。
【請求項２】
前記ミラーパネルの下端部は、前記支持体の下端よりも下方に突出した
請求項１に記載のミラー装置。
【請求項３】
前記第２方向は、前記第１方向より上方かつ前記ミラーパネルの表面に沿った方向である
請求項１または２に記載のミラー装置。
【請求項４】
前記風向切替板は、前記送風口から吹き出された風が前記風向切替板に当たらない第１位置と、前記送風口から吹き出された風が前記風向切替板に当たり、風の向きが前記第１方向から前記第２方向へと切り替わる第２位置と、を移動し、前記風の向きを切り替える請求項１ないし３のいずれか１項に記載のミラー装置。
【請求項５】
前記第２位置に位置した前記風向切替板は、前端部が前記鏡面よりも前方に位置する
請求項４に記載のミラー装置。
【請求項６】
前記風向切替板は、前記第１位置と前記第２位置との間を回動して移動する
請求項４または５に記載のミラー装置。
【請求項７】
前記風向切替板は、前記送風装置の下端に設けられ、前記第１位置と前記第２位置との間をスライドして移動する
請求項４または５に記載のミラー装置。
【請求項８】
前記支持体は、前方に開口した開口部を有する収納キャビネットであり、
前記ミラーパネルは、前記収納キャビネットに支持されて前記開口部を開閉する扉として設けられ、この扉の前面が前記鏡面となるものであり、
前記送風装置は、前記収納キャビネットの下端にある底板部に取り付けられている
請求項１ないし７のいずれか１項に記載のミラー装置。
【請求項９】
請求項１ないし８のいずれか１項に記載のミラー装置と、
前記カウンターと、
を備えた化粧台。
【請求項１０】
前記カウンターは洗面ボウル部を有する
請求項９に記載の化粧台。
【発明の詳細な説明】
【技術分野】
【０００１】
本発明は、ミラー装置及びこれを備えた化粧台に関する。
【背景技術】
【０００２】
従来、洗面化粧台には、空気調和機能が一体的に構成され、洗面時に快適に化粧作業が行えるようにするものが知られている（例えば、特許文献１）。
【０００３】
特許文献１には、洗面化粧台の鏡の下縁部寄り位置に空気送出口が設けられ、鏡の曇り止め及び洗面室内の暖房を行う技術が開示されている。
【先行技術文献】
【特許文献】
【０００４】
【特許文献１】特開平９−４６２号公報
【発明の概要】
【発明が解決しようとする課題】
【０００５】
近年、濡れた手の乾燥やマニキュアの乾燥などを洗面化粧台で行うことが望まれている。
【０００６】
特許文献１に記載のような洗面台では、前方斜め上方と鏡の方向とに送風でき、洗面室内を快適にする送風方向と鏡の曇り止めを行う送風方向とのそれぞれの方向に送風することができる。しかしながら、風を手元に当て、濡れた手の乾燥やマニキュアの乾燥などの手元作業を行うには、手の平を水平よりも上に向ける必要があり、腕から水が伝って服が濡れたり、マニキュアの液垂れが生じたりする恐れがある。
【０００７】
そこで、本発明は、風を前方から下方にかけて吹き出し、快適に手元作業を行うことができ、必要に応じて顔周辺及びミラーパネルの表面に風を吹き出すミラー装置及びこれを備えた化粧台を提供することを目的とする。
【課題を解決するための手段】
【０００８】
本発明に係るミラー装置は、前面が鏡面であるミラーパネルと、前記ミラーパネルの下方に設けられた送風装置とを備え、カウンターの上方に設けられるミラー装置であって、前記ミラーパネルは、裏側で支持体にて支持され、前記送風装置は、前記支持体の下端に設けられ、送風機と、前記ミラーパネルよりも後方に位置し、前記送風機から送られた風を前記ミラーパネルに対して前方から下方にあたる第１方向へ吹き出す送風口と、を有し、前記送風装置の外側に、前記送風口から吹き出された風の向きを前記第１方向より上方にあたる第２方向へと切り替える風向切替板が移動可能に設けられる。
【０００９】
本発明に係る化粧台は、上記ミラー装置と、前記カウンターを有する化粧台キャビネットと、を備える。
【発明の効果】
【００１０】
上記構成により、快適な手元作業を行うことができ、必要に応じて顔周辺やミラーパネルの表面に風を吹き出すことができる。
【図面の簡単な説明】
【００１１】
【図１】実施の形態１に係るミラー装置１０１の全体斜視図である。
【図２】（ａ）は、実施の形態１に係るミラー装置１０１の風向切替板３０が第１位置にある際の要部拡大側面図であり、（ｂ）は、実施の形態１に係るミラー装置１０１の風向切替板３０が第２位置にある際の要部拡大側面図である。
【図３】（ａ）は、実施の形態１に係る風向切替板３０の変形例を示し、風向切替板３０が第１位置にある際の要部拡大側面図であり、（ｂ）は、実施の形態１に係る風向切替板３０の変形例を示し、風向切替板３０が第２位置にある際の要部拡大側面図である。
【図４】実施の形態１に係る化粧台２０１の全体正面図である。
【図５】（ａ）は、実施の形態２に係るミラー装置１０１の風向切替板３０が第１位置にある際の要部拡大側面図であり、（ｂ）は、実施の形態２に係るミラー装置１０１の風向切替板３０が第２位置にある際の要部拡大側面図である。
【図６】（ａ）は、実施の形態１に係るミラーパネル１０の変形例を示し、風向切替板３０が第１位置にある際の要部拡大側面図であり、（ｂ）は、実施の形態１に係るミラーパネル１０の変形例を示し、風向切替板３０が第２位置にある際の要部拡大側面図である。
【発明を実施するための形態】
【００１２】
以下に示す実施の形態は、ミラー装置及びこれを備えた化粧台に関する。
【００１３】
［実施の形態１］
（化粧台）
化粧台２０１は、図４に示されるように、洗面所等の部屋の壁に沿って床に設置される。なお、以下では、化粧台２０１について、化粧台２０１が設置された状態における方向を用いて説明する。すなわち、化粧台２０１から壁に向かう方向を後方とし、壁から化粧台２０１に向かう方向を前方とする。また、化粧台２０１を前方から見たときを基準として左右方向を定義する。
【００１４】
化粧台２０１の利用者は、化粧台２０１の前方に立って化粧台２０１を利用する。化粧台２０１は、化粧台キャビネット６０と、ミラー装置１０１とを具備している。
【００１５】
（化粧台キャビネット）
化粧台キャビネット６０は、台本体６１と、カウンター６２とを備えている。台本体６１は、壁に沿って床に設置される。台本体６１の内部には、収納空間が形成されている。台本体６１の前面は、収納空間の前方を閉塞する複数の扉で構成されている。
【００１６】
台本体６１の上端部には、板状のカウンター６２が設けられている。カウンター６２は、平坦な上面を有している。カウンター６２の上面は、台本体６１の上面を構成している。
【００１７】
カウンター６２には、上方に開口した椀状の洗面ボウル部６３が形成されている。このとき、カウンター６２には、洗面ボウル部６３に水を供給する水栓装置６４が設けられている。
【００１８】
（ミラー装置）
ミラー装置１０１は、カウンター６２の上方に設けられ、図１及び図２（ａ）、（ｂ）に示すように、ミラーパネル１０と送風装置２０とを備える。
【００１９】
（ミラーパネル）
ミラーパネル１０は、支持体１１により壁に沿って設置される。ミラーパネル１０及び支持体１１は、カウンター６２の上方に配置される。
【００２０】
支持体１１は、例えば、収納キャビネット１１ａである。収納キャビネット１１ａは、正面視矩形の箱状に形成されている。支持体１１は、前方に開口した凹状の収納部１２を有している。収納部１２の内側には、物品を収納するための空間が形成されている。収納部１２の前端には開口部が形成されており、この開口部を通じて空間は前方に開放される。
【００２１】
ミラーパネル１０は、前面が鏡面となった矩形板状の鏡扉であり、収納キャビネット１１ａに支持され、収納キャビネット１１ａの開口部を開閉する扉として設けられる。ミラーパネル１０は、蝶番を介して収納キャビネット１１ａの左端部に、上下軸回り方向に回転可能に連結されており、開閉可能である。ここで、上下軸回り方向とは、上下方向と平行な回転軸を中心に回転する方向である。
【００２２】
ミラーパネル１０は、収納キャビネット１１ａの前面の全体に亘っている。ミラーパネル１０が開かれることで、収納部１２は前方に開放される。これにより、化粧台２０１の利用者は、収納部１２の空間に物品を出し入れすることが可能になる。ミラーパネル１０が閉じられることで、収納部１２および収納部１２に収納された物品は、ミラーパネル１０によって前側から覆われる。
【００２３】
ミラーパネル１０の下端部は、収納キャビネット１１ａの下端面よりも下方に突出している。以下、ミラーパネル１０において、収納キャビネット１１ａの下端面よりも下方に突出した部分を突出部１３という。
【００２４】
（送風装置）
送風装置２０は、支持体１１の下端面に設けられ、ミラーパネル１０よりも後方に位置する。すなわち、カウンター６２とミラーパネル１０との間に配置される。
【００２５】
本実施の形態において、送風装置２０は、収納キャビネット１１ａの下端面にあたる底板部１４に取り付けられている。
【００２６】
本実施の形態の送風装置２０は、図１及び図２（ａ）、（ｂ）に示すように、ケース２１と、送風機２２と、送風口２３と、を有し、送風装置２０の外側には、風向切替板３０が設けられている。
【００２７】
（ケース）
ケース２１は、送風装置２０の外面を構成している。ケース２１は、正面視矩形状で、左右方向に延びた箱状に形成されている。
【００２８】
ケース２１は、上面が支持体１１の下端面に接した状態で、例えば複数のビスにより取り付けられている。ケース２１は、支持体１１の下端面の左右方向の全長に亘っている。
【００２９】
本実施の形態では、ケース２１は、収納キャビネット１１ａの底板部１４に取り付けられる。
【００３０】
ケース２１の上部は、ミラーパネル１０の突出部１３の後方に位置しており、突出部１３により前側が一部覆われている。ケース２１の下部は、ミラーパネル１０よりも下方に位置しており、前側が一部露出している。
【００３１】
ここで、送風装置２０の利用において十分な量の風を発生させるために大型の送風機２２を用いた場合、ケース２１が大型になりやすい。しかし、本実施の形態では、図１に示すように、ミラーパネル１０の突出部１３がケース２１の一部に被さるように配置される
。このため、利用者はケース２１の大きさが気になり難くなり、送風装置２０がスリムに見える。したがって、本実施の形態の化粧台２０１は、全体として見栄えが良い。
【００３２】
ケース２１の前端は、支持体１１の前面よりも後方に位置している。ケース２１の後端は、支持体１１の後端よりも前方に位置している。
【００３３】
図２（ａ）、（ｂ）に示すように、ケース２１の後端には、後壁部２１１が形成されている。ケース２１の後面は、後壁部の外面である。ケース２１の後壁部２１１は、上端に近い部分ほど後方に位置するように傾斜している。
【００３４】
後壁部２１１には、送風機２２の運転時においてケース２１外の空気をケース２１内に吸い込む吸気口が形成されている。吸気口は、後壁部２１１を厚み方向に貫通し、後斜め下方に向かって開口している。上述したように、ケース２１の後壁部２１１は、上端に近い部分ほど後方に位置するように傾斜している。このため、ケース２１の下側の空気は、吸気口に吸い込まれやすくなっている。
【００３５】
ケース２１の前端には、前壁部２１２が形成されている。ケース２１の前面は、前壁部２１２の外面である。ケース２１の前壁部２１２は、収納キャビネット１１ａの前面と平行であり、前後方向に対して垂直な面である。
【００３６】
前壁部２１２には、送風機２２の運転時において発生した風をケース２１の前方に吹き出す送風口２３が設けられている。
【００３７】
送風口２３は、前壁部２１２の下部に設けられており、ミラーパネル１０よりも下方に位置している。送風口２３については、以下で詳細を述べる。
【００３８】
（送風機）
ケース２１の内部には、吸気口と送風口２３とを繋ぎ、吸気口と送風口２３とを通じさせる通気路が形成されている。通気路には、ケース２１の外部の空気を、吸気口からケース２１内に吸い込んで、送風口２３から前方に向かって吹き出す送風機２２が設けられている。本実施の形態の送風機２２は、左右方向に延びたクロスフローファンである。
【００３９】
（送風口）
ケース２１の前壁部２１２には、送風機２２から送られてきた風を吹き出す送風口２３が設けられている。
【００４０】
送風口２３は、前壁部２１２を厚み方向に貫通し、ミラーパネル１０の前方に向かって開口している。送風口２３は、左右方向に延びた矩形状の孔である。送風口２３は、前壁部２１２の下部に設けられており、ミラーパネル１０よりも下方に位置している。
【００４１】
送風口２３は、送風機２２から送られてきた風をミラーパネル１０より前方から下方にあたる第１方向４１へ吹き出す。
【００４２】
送風口２３には、送風口２３から吹き出される風の向きを変更する風向変更部２４が設けられている。風向変更部２４は、上下方向に並んだ複数の羽板を備えている。複数の羽板の各々は、左右方向に延びており、送風口２３の左右方向の全長に亘っている。各羽板は、ケース２１に対して左右軸回り方向に回動可能に設けられている。ここで、左右軸回り方向とは、左右方向と平行な回転軸を中心に回動する方向である。
【００４３】
ケース２１の前壁部２１２には、複数の羽板に連結された操作部材２４１が設けられて
いる。操作部材２４１は、前壁部２１２の下部に設けられており、送風口２３と同じ高さに設けられている。操作部材２４１は、ミラーパネル１０よりも下方に位置している。利用者は、操作部材２４１を手で操作することで、複数の羽板を左右軸回り方向に回動できる。これにより、送風口２３から吹き出される風の向きが上下に変更される。このとき、風の向きが変更される範囲は、第１方向４１の範囲４１ａ内である。
【００４４】
（操作部）
ケース２１には、送風機２２を操作するための操作部２５が設けられている。操作部２５は、図１に示すように、第１操作部２５１および第２操作部２５２を備えている。第１操作部２５１は、送風機２２の運転の開始と停止を切替えるために用いられる。第２操作部２５２は、送風機２２の送風量を変更するために用いられる。
【００４５】
第１操作部２５１および第２操作部２５２は、ケース２１の前壁部２１２に設けられている。本実施の形態の第１操作部２５１および第２操作部２５２は、前壁部２１２の左右方向の一端部（右端部）に設けられている。
【００４６】
（第１操作部）
本実施の形態の第１操作部２５１は、一つの釦で構成されている。第１操作部２５１は、前壁部２１２の下部に設けられている。第１操作部２５１は、送風口２３と同じ高さに設けられている。図１に示すように、第１操作部２５１はミラーパネル１０よりも下方に位置している。このため、第１操作部２５１は、ミラーパネル１０によって覆われず、前方に露出している。
【００４７】
（第２操作部）
本実施の形態の第２操作部２５２は、一つの釦で構成されている。第２操作部２５２は、前壁部２１２の上部に設けられており、第１操作部２５１よりも上方に位置している。第２操作部２５２は、図１に示すように、ミラーパネル１０の突出部１３の後方に位置しており、第２操作部２５２の前側は、突出部１３によって覆われている。詳しくは、第２操作部２５２の前側は、突出部１３の右端部（ミラーパネル１０の回転中心側とは反対側の端部）によって覆われている。
【００４８】
第２操作部２５２は、ミラーパネル１０を開いた状態において操作可能である。利用者により第２操作部２５２が操作されることで、送風機２２の送風量が「弱」、「中」、「強」のいずれかに設定される。送風機２２の送風量は、送風機２２の回転数が変えられることで、変更される。
【００４９】
（風向切替板）
ケース２１の外側には、送風口２３から吹き出された風の向きを切り替える風向切替板３０が設けられている。風向切替板３０により、風の向きは、第１方向４１から第１方向４１よりも上方にあたる第２方向４２へ切り替えられる。風向切替板３０は、板本体部３１と、アーム部３２とを有する。
【００５０】
板本体部３１は、左右方向に延びた板形状の部材である。図１及び図２（ａ）、（ｂ）に示すように、板本体部３１の先端縁及び両側端縁には、周壁部３３が立設されている。先端縁の周壁部３３は、一部傾斜面３３ａを含む形状で立設し、両側端縁の周壁部３３は、表面に対して垂直に立設されている。
【００５１】
アーム部３２は、板本体部３１の長手方向両側端部において板本体部３１の表面から垂直に突設した部材である。アーム部３２は、ケース２１の両側面に取り付けられ、ケース２１に対して左右軸回り方向に回動可能に設けられている。利用者は、風向切替板３０を
例えば手で操作することで、左右軸回り方向に回動できる。アーム部３２を回動させることにより、風向切替板３０は、図２（ａ）に示すように、送風口２３から吹き出された風が第１方向４１へ吹き出されるようにする第１位置と、図２（ｂ）に示すように、送風口２３から吹き出された風が傾斜面３３ａを中心に板本体部３１に当たり、風が第２方向４２へと切り替わるようにする第２位置とを移動し、位置変更が可能となる。このとき、第２位置に位置した風向切替板３０は、前端部３４がミラーパネル１０よりも前方に位置する。
【００５２】
第１位置にある風向切替板３０は、送風装置２０から送風される風の方向を切替えできないため、送風方向を変更する必要がない場合には、風向切替板３０によって送風を妨げない状態にすることできる。これにより、マニキュアを乾かしたり手を乾燥させたりするなど、快適な手元作業を行うことができる。
【００５３】
第２位置にある風向切替板３０は、送風装置２０から送風される風の向きを変更することができる。送風口２３から吹き出された風は、風向切替板３０の上面に沿って上方へ誘導されることで、風の向きが変更される。これにより、汗ばむような季節において、送風口２３から吹き出された風を顔に風を当てながら、快適に化粧を行うことができる。
【００５４】
なお、第２位置に位置した風向切替板３０は、送風装置２０から吹き出された風の向きを上方かつミラーパネル１０の表面に沿った方向４２ａへ誘導することが好ましい。これにより、化粧台２０１が浴室に隣接して設けられた場合においても、ミラーパネル１０の曇りを防止または低減することができる。
【００５５】
なお、風向切替板３０の板本体部３１は、図３（ａ）、（ｂ）に示すように、湾曲した板形状であってもよい。これにより、吹き出された風は、湾曲面に沿ってより上方へ切替えされやすくなる。
【００５６】
（利用方法）
利用者は、風向切替板３０を移動させることで、送風装置２０から吹き出される風の向きを変更することができる。利用者は、風向切替板３０を操作することで、送風装置２０から前方から下方にかけて吹き出された風の向きを、上方へ切り替えることができる。これにより、送風口２３から吹き出された風によってマニキュアを乾かしたり手を乾燥させたりすることができ、必要に応じて涼んだり、ミラーパネル１０の曇り止めを行うことができる。
【００５７】
送風装置２０及び風向切替板３０の動作方法について、具体的に説明する。
送風装置２０の運転が開始されると、送風機２２によって、ケース２１の下方の空気が吸気口から通気路内に吸い込まれ、この空気が送風口２３から第１方向４１へ吹き出される。このとき、風向切替板３０は、図２（ａ）に示すように、風が当たらない第１位置に位置している。また、利用者は、風向変更部２４を手動で回動させ、送風口２３から吹き出される風の向きを前方から下方の位置に好みに合わせて調節することができる。これにより、例えば、利用者は、送風口２３から吹き出される風の向きを下向き成分を含む方向とし、送風口２３から吹き出された風によって、マニキュアを施した爪を乾かしたり、手を乾かしたりすることが可能になる。
【００５８】
利用者は、必要に応じて風向切替板３０を第１位置から、図２（ｂ）に示すように、風があたる第２位置へ回動し移動させ、送風口２３から吹き出される風の向きを第１方向４１から第２方向４２へと切替える。これにより、汗ばむような季節において、送風口２３から吹き出された風を顔に当てながら、快適に化粧を行うことが可能になる。また、浴室などに隣接して設けられた洗面台においても、蒸気によってミラーパネル１０が曇るのを
防止することができ、快適に鏡を使用することができる。
【００５９】
なお、第２位置にある風向切替板３０は送風機２２の風が当たっても回動しないが、利用者が手を添えて所定の力を加えることで第２位置より動く。そして、第２位置と第２位置との間を移動するための力は、第２位置を動かすことのできる所定の力よりも弱い設定としている。
【００６０】
［実施の形態２］
次に実施の形態２のミラー装置１０１及び化粧台２０１について説明する。なお、ここでは、上記実施の形態１と相異する事項についてのみ説明し、その他の事項（構成、作用効果等）については、上記実施の形態１と同様であるので、図面において同じ符号を付してその説明を省略する。本実施の形態２に係るミラー装置１０１及び化粧台２０１は、風向切替板７０がスライドして移動する点で実施の形態１と相異する。
【００６１】
本実施の形態におけるミラー装置１０２及び化粧台２０１は、図５（ａ）、（ｂ）に示されるように、風向切替板７０が前後方向にスライドして移動する。
【００６２】
風向切替板７０は、左右方向に延びた矩形形状の部材である。風向切替板７０は、ケース２１の下面に取り付けられ、ケース２１の下面と平行にスライドして移動する。このスライド移動により、風向切替板７０は、図５（ａ）に示すように、風が当たらない第１位置と、図５（ｂ）に示すように風が当たり、風の向きを第１方向４１から第２方向４２へと切り替える第２位置との間を移動し、位置変更が可能となる。
【００６３】
（変形例）
化粧台２０１は、水栓装置６４や洗面ボウル部６３を備えない化粧台であってよく、適宜設計変更可能である。
【００６４】
ミラーパネル１０は、下端部は支持体１１よりも下方へ突出した突出部１４を有するものであるとしたが、図６（ａ）、（ｂ）に示されるように、下端部と支持体１１の下面とが同じ位置に設けられていてもよい。
【００６５】
また、ミラーパネル１０は、複数枚の鏡扉で構成され、両開き式に開閉できる構成であってもよい。
【００６６】
支持体１１は、ミラーパネル１０を支持できるものであれば、収納部１２を備えないものや、照明装置を有するものであってもよい。
【００６７】
風向変更部２４及び風向切替板３０、７０は、手で操作するものとしたが、風向変更部２４及び風向切替板３０、７０の移動方法は、これに限るものではなく、モータ式や操作部材が別途設けられて移動操作できるものであってもよい。
【００６８】
また、風向変更部２４は、設けられなくてもよいものとする。このとき、送風口２３から吹き出される風は、斜め下方の方向に吹き出されるように構成されていることが好ましい。
【００６９】
送風機２２の送風装置２０の運転操作や送風機２２の送風量操作については、上記実施の形態では、第１操作部２５１及び第２操作部２５２を用いて操作するものとしたが、これに限られるものではなく、送風装置の操作方法は、適宜操作できるものであれば形態は問わない。
【００７０】
（効果）
上述のように、上記実施の形態におけるミラー装置１０１は、前面が鏡面であるミラーパネル１０と、ミラーパネル１０を裏側で支持する支持体１１と、支持体１１の下端に設けられた送風装置２０とを備え、カウンター６２の上方に設けられるミラー装置１０１であって、送風装置２０は、送風機２２と、ミラーパネル１０よりも後方に位置し、送風機２２から送られた風をミラーパネル１０に対して前方から下方にあたる第１方向４１へ吹き出す送風口２３と、を有し、送風装置２０の外側に、送風口２３から吹き出された風の向きを第１方向４１より上方にあたる第２方向４２へと切り替える風向切替板３０が移動可能に設けられている。
【００７１】
これにより、送風装置２０から前方から下方に第１方向へ吹き出された風を第２方向４２である上方に切り替えることができ、第１方向４１の状態で快適な手元作業を行うことができ、必要に応じ第２方向４２の状態にして顔周辺やミラーパネル１０の表面に風を吹き出すことができる。
【００７２】
また、ミラーパネル１０の下端部は、支持体１１の下端よりも下方に突出していることが好ましい。
【００７３】
これにより、鏡としての面積を確保することができ、かつ送風装置２０をミラーパネル１０により隠すことができるので、前方からの見栄えを良くすることができる。
【００７４】
また、第２方向４２は、第１方向４１より上方かつミラーパネル１０の表面に沿った方向４２ａである。
【００７５】
これにより、送風装置２０から吹き出された風によって、ミラーパネル１０の曇り止めまたは抑制を行うことができる。
【００７６】
また、風向切替板３０、７０は、送風口２３から吹き出された風が風向切替板３０、７０に風が当たらない第１位置と、送風口２３から吹き出された風が風向切替板３０、７０に風が当たり、風の向きを第１方向４１から第２方向４２へと切り替える第２位置と、を移動する。
【００７７】
また、風向切替板３０は、第１位置と第２位置との間を回動して移動する。
【００７８】
また、風向切替板７０は、送風装置２０の下端に設けられ、第１位置と第２位置との間をスライドして移動する。
【００７９】
これにより、風向切替板３０、７０が第１位置と第２位置とを移動し、風の向きを自由に切り替えることができる。
【００８０】
また、支持体１１は、前方に開口した開口部を有する収納キャビネット１１ａであり、ミラーパネル１０は、収納キャビネット１１ａに支持されて開口部を開閉する扉として設けられ、この扉の前面が鏡面となるものであり、送風装置２０は、収納キャビネット１１ａの下端にある底板部１４に取り付けられている。
【００８１】
これにより、送風装置２０を収納キャビネット１１ａの底板部１４に取り付けることで、収納としてのスペースを設けることができる。
【００８２】
上記実施の形態における化粧台２０１は、上述のミラー装置１０１と、カウンター６２と、を備える。
【００８３】
また、カウンター６２は洗面ボウル部６３を有する。
【００８４】
これにより、マニキュアを乾かしたり、手を乾燥させたりと快適な手元作業を行うことができ、必要に応じて顔周辺及びミラーパネルの表面に風を吹き出すことができるので、風を顔に当てながら、快適に化粧を行ったり、ミラーパネル１０の曇り止めを行うことができる。
【符号の説明】
【００８５】
１０１  ミラー装置
２０１  化粧台
１０  ミラーパネル
１１  支持体
２０  送風装置
２２  送風機
２３  送風口
３０  風向切替板
４１  第１方向
４２  第２方向
６２  カウンター
【図１】
2018050911.tif 000003
【図２】
2018050911.tif 000004
【図３】
2018050911.tif 000005
【図４】
2018050911.tif 000006
【図５】
2018050911.tif 000007
【図６】
2018050911.tif 000008